(57)【要約】【課題】色盲あるいは白内障等に起因して色覚機能が変化している人がインジケータ意匠部の重要度を容易に判別することが可能な車両用インジケータ表示装置を提供する。【解決手段】重要度の高いインジケータ２１、２２を、インジケータ図形２１ａ、２２ａを暗く且つ背景部２１ｂ、２２ｂを明るく発光表示し、重要度の低いインジケータ２３、２４を、インジケータ図形２３ａ、２４ａを明るく且つ背景部２３ｂ、２４ｂを暗く発光表示して、各インジケータ２１〜２４の重要度を黒白のコントラストで判別させている。これにより、色盲あるいは白内障等に起因して色覚機能が変化している人が容易且つ正確に各インジケータ２１〜２４の重要度を識別することのできるコンビネーションメータ１を実現できる。【選択図】        図１
2004325652.tif 000002
【特許請求の範囲】
【請求項１】
透光性を有する材質からなる文字盤と、
前記文字盤に形成されインジケータ図形を備えるインジケータ意匠部と、
前記文字盤の裏面側に前記インジケータ意匠部に対応して配設され前記インジケータ意匠部を透過照明する光源とを備え、
重要度の高い前記インジケータ意匠部においては前記光源により少なくとも前記インジケータ図形の外側背景部が発光表示され、
重要度の低い前記インジケータ意匠部においては前記光源により前記インジケータ図形あるいは前記インジケータ図形の輪郭線が発光表示されることを特徴とする車両用インジケータ表示装置。
【請求項２】
透光性を有する材質からなる文字盤と、
前記文字盤に形成されインジケータ図形を備えるインジケータ意匠部と、
前記文字盤の裏面側に前記インジケータ意匠部に対応して配設され前記インジケータ意匠部を透過照明する光源とを備え、
重要度の高い前記インジケータ意匠部同士は互いに近接し且つ第１インジケータ群を形成するように配置され、
重要度の低い前記インジケータ意匠部同士は互いに近接し且つ第２インジケータ群を形成するように配置され、
前記第１インジケータ群および前記第２インジケータ群は、それぞれ明瞭に区別して視認されるように配置されることを特徴とする車両用インジケータ表示装置。
【請求項３】
前記文字盤は複数の計器部を備え、
前記第１インジケータ群は前記複数の計器部の一つの内側に配置され、
前記第２インジケータ群は前記複数の計器部の他の一つの内側に配置されることを特徴とする請求項２に記載の車両用インジケータ表示装置。
【請求項４】
前記文字盤は複数の計器部を備え、
前記第１インジケータ群および前記第２インジケータ群は、前記複数の計器部の少なくとも一つを挟むように配置されることを特徴とする請求項２に記載の車両用インジケータ表示装置。
【請求項５】
透光性を有する材質からなる文字盤と、
前記文字盤に形成されインジケータ図形を備えるインジケータ意匠部と、
前記文字盤の裏面側に前記インジケータ意匠部に対応して配設され前記インジケータ意匠部を透過照明する光源とを備え、
前記インジケータ意匠部にはインジケータ図形に加えて前記インジケータ図形の重要度を表す重要度指示図形が設けられることを特徴とする車両用インジケータ表示装置。
【請求項６】
透光性を有する材質からなる文字盤と、
前記文字盤に形成されるインジケータ意匠部と、
前記文字盤に形成され前記インジケータ意匠部の重要度情報を表示する重要度表示部と、
前記文字盤の裏面側に前記インジケータ意匠部に対応して配設され前記インジケータ意匠部を透過照明する光源とを備え、
前記インジケータ意匠部が発光表示されると、発光表示されたインジケータ意匠部の重要度に対応する前記重要度表示部が発光表示されることを特徴とする車両用インジケータ表示装置。
【請求項７】
前記重要度表示部は、図形および文字の少なくとも一方により表示されることを特徴とする請求項６に記載の車両用インジケータ表示装置。
【請求項８】
前記重要度表示部は、液晶パネル上に表示されることを特徴とする請求項６に記載の車両用インジケータ表示装置。
【請求項９】
前記インジケータ意匠部および前記重要度指示部の少なくとも一つが点滅発光表示されることを特徴とする請求項６ないし請求項８のいずれかに記載の車両用インジケータ表示装置。
【発明の詳細な説明】
【０００１】
【発明の属する技術分野】
本発明は、自動車等に採用するに適した車両用インジケータ表示装置に関するものである。
【０００２】
【従来の技術】
従来、たとえば自動車に装備される車両用インジケータ表示装置は、普段は点灯していないが、当該自動車の作動状態に異常が発生した場合、インジケータ図形等のインジケータ意匠部を発光表示して運転者に視認させることにより、運転者に注意を喚起したり、あるいは必要な処置を講じることを促したりしている。
【０００３】
車両用インジケータ表示装置においては、情報の重要度によりインジケータ意匠部の発光色を変えることで、運転者が異常の発生およびその重要度を素早く且つ正確に認知できるようにしている。たとえば、重要度の高いインジケータ意匠部、すなわち、速やかな点検、処置が必要な異常を表示するインジケータ意匠部を赤色で発光表示し、一方、重要度の低いインジケータ意匠部、すなわち、とりあえず、そのまま走行を続けることが可能な異常を表示するインジケータ意匠部を赤以外の色、たとえばアンバー等で発光表示している。
【０００４】
【発明が解決しようとする課題】
しかしながら、インジケータ意匠部の重要度をインジケータ意匠部の発光色によって表示し且つ識別させる方式の従来の車両用インジケータ表示装置においては、運転者が色盲の人である場合、点灯表示されたインジケータ意匠部の重要度を判別することが困難となることがある。
【０００５】
また、運転者が色盲の人でなくても、白内障等に起因して色覚機能が変化している場合も、点灯表示されたインジケータ意匠部の重要度を判別することが困難となることがある。
【０００６】
本発明は、上記の問題点に鑑みなされたもので、色盲あるいは白内障等に起因して色覚機能が変化している人がインジケータ意匠部の重要度を容易に判別することが可能な車両用インジケータ表示装置を提供することを目的とする。
【０００７】
【課題を解決するための手段】
本発明は上記目的を達成する為、以下の技術的手段を採用する。
【０００８】
本発明の請求項１に記載の車両用インジケータ表示装置は、透光性を有する材質からなる文字盤と、文字盤に形成されインジケータ図形を備えるインジケータ意匠部と、文字盤の裏面側にインジケータ意匠部に対応して配設されインジケータ意匠部を透過照明する光源とを備え、重要度の高いインジケータ意匠部においては光源により少なくともインジケータ図形の外側背景部が発光表示され、重要度の低いインジケータ意匠部においては前記光源によりインジケータ図形あるいはインジケータ図形の輪郭線が発光表示される構成としている。
【０００９】
この場合、車両各部に異常が無い場合、インジケータ意匠部は文字盤と同色、たとえば黒色等で一体的に視認される。つまりインジケータ意匠部は無いかのように視認される。何らかの原因により車両各部に何か異常が発生し、それに対応したインジケータ意匠部が光源により発光表示されると、重要度の高いインジケータ意匠部においては、インジケータ図形の外側背景部が発光表示される。つまり、インジケータ意匠部が略正方形の場合、たとえば白色の略正方形の中にインジケータ図形が黒色で視認される。一方、重要度の低いインジケータ意匠部においては、インジケータ図形あるいはインジケータ図形の輪郭線がたとえば白色で発光表示される。
【００１０】
この場合、発光表示されたインジケータ意匠部において、その形状は、白色部分と黒色部分とのコントラストにより認識される。言い換えると、インジケータ意匠部の重要度を、従来の車両用インジケータ表示装置のようにインジケータ意匠部の発光色を変えて識別させるのではなく、白色部分と黒色部分とのコントラスト、すなわち明度差を認識させ、それにより識別させる方式としている。色の識別が困難な人、たとえば、色盲あるいは白内障等に起因して色覚機能が変化している人の場合、明度差は正確に認識できるため、発光表示されたインジケータ意匠部のインジケータ図形の形状は、正確に識別される。
【００１１】
これにより、色盲あるいは白内障等に起因して色覚機能が変化している人がインジケータ意匠部の重要度を容易に判別することが可能な車両用インジケータ表示装置を実現できる。
【００１２】
本発明の請求項２に記載の車両用インジケータ表示装置は、透光性を有する材質からなる文字盤と、文字盤に形成されインジケータ図形を備えるインジケータ意匠部と、文字盤の裏面側に前記インジケータ意匠部に対応して配設されインジケータ意匠部を透過照明する光源とを備え、重要度の高いインジケータ意匠部同士は互いに近接し且つ第１インジケータ群を形成するように配置され、重要度の低いインジケータ意匠部同士は互いに近接し且つ第２インジケータ群を形成するように配置され、第１インジケータ群および第２インジケータ群は、それぞれ明瞭に区別して視認されるように配置される構成としている。
【００１３】
一般に、車両用インジケータ表示装置においては、インジケータ意匠部は複数個設けられている。
【００１４】
そこで、本発明の請求項２に記載の車両用インジケータ表示装置では、重要度が同レベルであるインジケータ意匠部を一箇所に近接して配置し一つのインジケータ群を形成させるとともに、重要度が異なるインジケータ群を明瞭に区別して視認されるように、言い換えると、あるインジケータ意匠部が発光表示された場合、それがどちらのインジケータ群に属するものか瞬時に且つ正確に理解できるように各インジケータ群を配置している。
【００１５】
この場合、発光表示されたインジケータ意匠部は、そのインジケータ図形の形状により異常の内容が、また、発光表示された場所、つまり属するインジケータ群により異常の重要度が認識される。
【００１６】
すなわち、インジケータ意匠部の重要度を、従来の車両用インジケータ表示装置のようにインジケータ意匠部の発光色を変えて識別させるのではなく、発光表示された場所、つまり属するインジケータ群により識別させる方式としている。
【００１７】
これにより、色盲あるいは白内障等に起因して色覚機能が変化している人がインジケータ意匠部の重要度を容易に判別することが可能な車両用インジケータ表示装置を実現できる。
【００１８】
本発明の請求項３に記載の車両用インジケータ表示装置は、文字盤は複数の計器部を備え、第１インジケータ群は複数の計器部の一つの内側に配置され、第２インジケータ群は複数の計器部の他の一つの内側に配置される構成としている。
【００１９】
この場合、第１インジケータ群と第２インジケータ群とを明瞭に区別して視認させることができる。
【００２０】
したがって、インジケータ意匠部の重要度を、従来の車両用インジケータ表示装置のようにインジケータ意匠部の発光色を変えて識別させるのではなく、発光表示された場所、つまり属するインジケータ群により識別させることができるので、色盲あるいは白内障等に起因して色覚機能が変化している人がインジケータ意匠部の重要度を容易に判別することが可能な車両用インジケータ表示装置を実現できる。
【００２１】
本発明の請求項４に記載の車両用インジケータ表示装置は、文字盤は複数の計器部を備え、第１インジケータ群および第２インジケータ群は、複数の計器部の少なくとも一つを挟むように配置される構成としている。
【００２２】
この場合、第１インジケータ群と第２インジケータ群とを明瞭に区別して視認させることができる。
【００２３】
したがって、インジケータ意匠部の重要度を、従来の車両用インジケータ表示装置のようにインジケータ意匠部の発光色を変えて識別させるのではなく、発光表示された場所、つまり属するインジケータ群により識別させることができるので、色盲あるいは白内障等に起因して色覚機能が変化している人がインジケータ意匠部の重要度を容易に判別することが可能な車両用インジケータ表示装置を実現できる。
【００２４】
本発明の請求項５に記載の車両用インジケータ表示装置は、透光性を有する材質からなる文字盤と、文字盤に形成されインジケータ図形を備えるインジケータ意匠部と、文字盤の裏面側にインジケータ意匠部に対応して配設されインジケータ意匠部を透過照明する光源とを備え、インジケータ意匠部にはインジケータ図形に加えて前記インジケータ図形の重要度を表す重要度指示図形が設けられる構成としている。
【００２５】
この場合、発光表示されたインジケータ意匠部は、そのインジケータ図形の形状により異常の内容が、また、その重要度指示図形により異常の重要度が表示される。
【００２６】
すなわち、インジケータ意匠部の重要度を、従来の車両用インジケータ表示装置のようにインジケータ意匠部の発光色を変えて識別させるのではなく、発光表示される図形形状により識別させている。
【００２７】
これにより、色盲あるいは白内障等に起因して色覚機能が変化している人がインジケータ意匠部の重要度を容易に判別することが可能な車両用インジケータ表示装置を実現できる。
【００２８】
本発明の請求項６に記載の車両用インジケータ表示装置は、透光性を有する材質からなる文字盤と、文字盤に形成されるインジケータ意匠部と、文字盤に形成されインジケータ意匠部の重要度情報を表示する重要度表示部と、文字盤の裏面側にインジケータ意匠部に対応して配設されインジケータ意匠部を透過照明する光源とを備え、インジケータ意匠部が発光表示されると、発光表示されたインジケータ意匠部の重要度に対応する重要度表示部が発光表示される構成としている。
【００２９】
この場合、何らかの原因により車両各部に何か異常が発生すると、それに対応したインジケータ意匠部、たとえばインジケータ図形が光源により発光表示されるのと同時に、発光表示されたインジケータ意匠部の重要度に対応するインジケータ意匠部とは独立して配置された重要度表示部が、たとえば図形あるいは文字等により発光表示される。
【００３０】
これにより、インジケータ意匠部の重要度を、従来の車両用インジケータ表示装置のようにインジケータ意匠部の発光色を変えて識別させるのではなく、発光表示されたインジケータ意匠部の重要度に対応する重要度表示部、たとえば図形あるいは文字等を発光表示させることにより認識させることができる。
【００３１】
したがって、色盲あるいは白内障等に起因して色覚機能が変化している人がインジケータ意匠部の重要度を容易に判別することが可能な車両用インジケータ表示装置を実現できる。
【００３２】
本発明の請求項７に記載の車両用インジケータ表示装置は、重要度表示部は、図形および文字の少なくとも一方により表示される構成としている。
【００３３】
これにより、色盲あるいは白内障等に起因して色覚機能が変化している人がインジケータ意匠部の重要度を容易に正確に認識することを可能にできる。
【００３４】
本発明の請求項８に記載の車両用インジケータ表示装置は、重要度表示部は、液晶パネル上に表示される構成としている。
【００３５】
これにより、重要度表示部としての図形あるいは文字等のデザイン設定の自由度を高めつつ、色盲あるいは白内障等に起因して色覚機能が変化している人がインジケータ意匠部の重要度を容易に正確に認識することを可能にできる。
【００３６】
本発明の請求項９に記載の車両用インジケータ表示装置は、インジケータ意匠部および重要度指示部の少なくとも一つが点滅発光表示される構成としている。
【００３７】
これにより、色盲あるいは白内障等に起因して色覚機能が変化している人に対して、異常発生時において、異常内容およびその重要度を確実に知らせることができる。
【００３８】
【発明の実施の形態】
以下、本発明による車両用インジケータ表示装置を自動車用コンビネーションメータに適用した場合を例に図面に基づいて説明する。
【００３９】
（第１実施形態）
図１は、本発明の第１実施形態による車両用インジケータ表示装置であるコンビネーションメータ１の部分正面図である。なお、図１は、各インジケータ２１〜２４の全てが発光表示された状態を示している。また、図１中においてハッチング部は均一に着色されていることを示す。
【００４０】
図２は、本発明の一実施形態によるコンビネーションメータ１の断面図であり、図１中のＩＩ−ＩＩ線断面図である。図２において左側が運転席側であり、コンビネーションメータ１は運転者により図２において左方から視認される。
【００４１】
コンビネーションメータ１は、自動車の運転席前方の運転者から視認可能な位置に配設され、自動車に関する各種情報を表示するものである。コンビネーションメータ１は、各種情報を表示して運転者に視認させるための文字盤２を備えている。
【００４２】
図３は、本発明の一実施形態によるコンビネーションメータ１の電気回路構成を説明する模式図である。
【００４３】
文字盤２は、透光性材質、たとえば無色透明なポリカーボネート等の薄板から形成されている。文字盤２には、図１に示すように、透過照明されるインジケータ意匠部であるブレーキ液インジケータ２１、エアバッグシステムインジケータ２２、燃料インジケータ２３、ＡＢＳシステムインジケータ２４が形成されている。
【００４４】
ブレーキ液インジケータ２１は、ブレーキ液用リザーブタンク内の液面レベルが規定値以下になると発光表示され、エアバッグシステムインジケータ２２は、エアバッグシステムに異常が発生すると発光表示され、燃料インジケータ２３は、燃料タンク内の残存燃料量が規定量以下になると発光表示され、ＡＢＳシステムインジケータ２４は、ＡＢＳシステムに異常が発生すると発光表示され、運転者に異常発生を知らせるものである。
【００４５】
ここで、ブレーキ液インジケータ２１およびエアバッグシステムインジケータ２２は重要度が高いインジケータ、すなわち、運転者はできるだけ速やかに状況を確認し、必要な処置を講じる必要があるような異常が発生したことを運転者に知らしめるためのインジケータである。一方、燃料インジケータ２３、ＡＢＳシステムインジケータ２４は重要度が低いインジケータ、すなわち、運転者は直ちに状況を確認する必要はなく、停車時、あるいは帰宅時等に、確認し必要におうじて処置を講じればよい程度の異常が発生したことを運転者に知らしめるためのインジケータである。
【００４６】
インジケータ意匠部である各インジケータ２１、２２、２３、２４は、図１に示すように、インジケータ図形２１ａ、２２ａ、２３ａ、２４ａを備えるとともに、インジケータ図形２１ａ、２２ａ、２３ａ、２４ａの外側に背景部２１ｂ、２２ｂ、２３ｂ、２４ｂが形成されている。インジケータ図形２１ａ、２２ａ、２３ａ、２４ａおよび背景部２１ｂ、２２ｂ、２３ｂ、２４ｂは、文字盤２に印刷あるいはホットスタンプを施して形成されている。
【００４７】
重要度が高いインジケータであるブレーキ液インジケータ２１およびエアバッグシステムインジケータ２２においては、インジケータ図形２１ａおよび２２ａは、遮光性の黒色あるいは濃青色で形成され、その周囲には、背景部２１ｂ、２２ｂが略長方形に透明状態で形成されている。また、背景部２１ｂ、２２ｂの外側は遮光性の黒色あるいは濃青色で着色されている。すなわち、重要度が高いインジケータ２１、２２を、インジケータ図形を暗く且つ周囲を明るい状態として、たとえば写真のポジフィルムのように表示している。
【００４８】
一方、重要度が低いインジケータである燃料インジケータ２３、ＡＢＳシステムインジケータ２４においては、インジケータ図形２３ａ、２４ａは、図形そのもの、または図形の輪郭線を透明状態とし、背景部２３ｂ、２４ｂを遮光性の黒色あるいは濃青色で着色している。すなわち、重要度が低いインジケータ２３、２４を、インジケータ図形または図形の輪郭線を明るく且つ周囲を暗い状態として、たとえば写真のネガフィルムのように表示している。なお、文字盤２においては、各インジケータ２１、２２、２３、２４以外の部分も遮光性の黒色あるいは濃青色で着色されているため、背景部２３ｂ、２４ｂとその外側との境界線は見えない。
【００４９】
このように、本発明の第１実施形態によるコンビネーションメータ１では、重要度の高いインジケータ２１、２２をポジ状態で表示し、重要度が低いインジケータ２３、２４をネガ状態で表示することで、言い換えると、表示意匠の明暗状態を変えることで各インジケータ２１、２２、２３、２４の重要度を指示している。これにより、各インジケータ意匠部の発光色を変えて各インジケータの重要度を識別させている従来の車両用インジケータ表示装置で発生している色盲あるいは白内障等に起因して色覚機能が変化している人が重要度を判別し難いという不具合を解消して、色盲あるいは白内障等に起因して色覚機能が変化している人が容易且つ正確に重要度を識別することのできるコンビネーションメータ１を実現できる。
【００５０】
文字盤２の裏側（図１の右側）には、図１に示すように、各インジケータ２１、２２、２３、２４に対応して、各インジケータ２１、２２、２３、２４を発光表示させるための光源である発光ダイオード４１、４２、４３、４４が配置されている。各発光ダイオード４１、４２、４３、４４は、文字盤２の裏側に配置されるプリント基板５上に実装されている。本発明の第１実施形態によるコンビネーションメータ１においては、各発光ダイオード４１、４２、４３、４４として、白色発光ダイオードを採用している。これにより、各インジケータ２１、２２、２３、２４の表示意匠の明暗状態を白と黒あるいは濃青色の組み合わせで構成して、色盲あるいは白内障等に起因して色覚機能が変化している人が容易且つ正確に重要度を識別することのできるコンビネーションメータ１を実現できる。
【００５１】
プリント基板５は、コンビネーションメータ１の電気回路を構成している。プリント基板５には、各発光ダイオード４１、４２、４３、４４のほかに、各発光ダイオード４１、４２、４３、４４の点灯・消灯を制御するコントローラ６が実装されている。さらに、コンビネーションメータ１の計器部（図示せず）を構成する回動内機（図示せず）、目盛・数字（図示せず）等照明用の発光ダイオード（図示せず）も実装されている。
【００５２】
また、文字盤２と、各発光ダイオード４１、４２、４３、４４の間には、各発光ダイオード４１、４２、４３、４４が発する光を各インジケータ２１、２２、２３、２４に導いて発光表示させるための導光体３１、３２、３３、３４が配置されている。導光体３１、３２、３３、３４は透光性を有する材質、たとえば無色透明なポリカーボネート等により形成されている。導光体３１、３２の平面形状は、それぞれ背景部２１ｂ、２２ｂを完全に包含する形状に、一方、導光体３３、３４の平面形状は、インジケータ図形２３ａ、２４ａを完全に包含する形状に形成されている。また、各導光体３１、３２、３３、３４の各発光ダイオード４１、４２、４３、４４側端面は、発光ダイオード側に凸の球面状に形成され、これにより、導光体３１、３２、３３、３４に入射した光の進行方向を各インジケータ２１、２２、２３、２４に直接向かう方向に近づけて、各インジケータ２１、２２、２３、２４の発光輝度を高めることができる。また、各導光体３１、３２、３３、３４の文字盤２側端面にはシボ面が形成されている。このシボ面により各発光ダイオード４１、４２、４３、４４からの光を拡散反射させて、各インジケータ２１、２２、２３、２４の発光輝度を全域に亘って均一にできる。
【００５３】
以上説明した、文字盤２およびプリント基板５は、図１に示すように、樹脂材料からなるケース７内に収容保持されている。
【００５４】
次に、以上説明した、本発明の一実施形態によるコンビネーションメータ１の電気回路構成について説明する。
【００５５】
図３の電気回路構成図に示すように、コントローラ６には、バッテリ８から電力が常時供給されるとともに、イグニッションスイッチ９が、その作動状態（ＯＮまたはＯＦＦ）を検出可能に接続されている。また、コントローラ６にはブレーキ液面センサ１０、燃料レベルセンサ１１、エアバッグ制御装置１２およびＡＢＳ制御装置１３が接続されている。また、コントローラ６には、発光ダイオード４１、４２、４３、４４が接続されている。
【００５６】
このような電気回路構成により、コントローラ６は、ブレーキ液面センサ１０および燃料レベルセンサ１１からの検出信号、エアバッグ制御装置１２およびＡＢＳ制御装置１３からの作動状態信号に基づいて発光ダイオード４１、４２、４３、４４の点灯・消灯を制御する。
【００５７】
次に、以上説明したように構成された本発明の一実施形態によるコンビネーションメータ１の作動について、特に文字盤２の各インジケータ２１、２２、２３、２４の視認状態について説明する。
【００５８】
（１）当該自動車に異常が発生していない場合。
【００５９】
この場合、各発光ダイオード４１、４２、４３、４４はいずれも消灯状態であり、各インジケータ２１、２２、２３、２４は発光表示されない。したがって、各インジケータ２１、２２、２３、２４において発光表示される部分、つまり、背景部２１ｂ、２２ｂ、インジケータ図形２３ａ、２４ａは暗く視認され、文字盤２の遮光性の黒色あるいは濃青色で着色された部分との明度差は非常に小さくなっている。言い換えると、各インジケータ２１、２２、２３、２４が存在しないかのように視認される。
【００６０】
（２）当該自動車に何らかの異常が発生した場合。
【００６１】
コントローラ６は、ブレーキ液面センサ１０および燃料レベルセンサ１１からの検出信号、エアバッグ制御装置１２およびＡＢＳ制御装置１３からの作動状態信号に基づき異常発生を検知して、異常発生部位に対応した各発光ダイオード４１、４２、４３、４４のいずれかを点灯駆動する。これにより、異常発生部位に対応した各インジケータ２１、２２、２３、２４が発光表示される。
【００６２】
この場合、重要度が高いインジケータであるブレーキ液インジケータ２１およびエアバッグシステムインジケータ２２においては、背景部２１ｂ、２２ｂが白色で明るく発光表示され、インジケータ図形２１ａおよび２２ａは、黒色あるいは濃青色で影絵状に視認される。これにより、運転者は、影絵状のインジケータ図形２１ａおよび２２ａから異常発生部位あるいは異常内容を識別するとともに、背景部２１ｂ、２２ｂが明るいことから、発生した異常の重要度が高い、すなわち速やかな処置が必要であることを認知する。
【００６３】
重要度が低いインジケータである燃料インジケータ２３、ＡＢＳシステムインジケータ２４においては、インジケータ図形２３ａ、２４ａが白色で明るく発光表示され、背景部２３ｂ、２４ｂは、黒色あるいは濃青色で視認される。これにより、運転者は、発光表示されるインジケータ図形２３ａ、２４ａから異常発生部位あるいは異常内容を識別するとともに、背景部２３ｂ、２４ｂが黒色あるいは濃青色であることから、発生した異常の重要度が低い、すなわち速やかな処置は必要でないが帰宅時等折を見て確認が必要であることを認知する。
【００６４】
以上説明した、本発明の第１実施形態によるコンビネーションメータ１においては、透光性を有する材質からなる文字盤２上にインジケータ２１、２２、２３、２４が形成され、各インジケータ２１、２２、２３、２４は、インジケータ図形２１ａ、２２ａ、２３ａ、２４ａを備えるとともに、インジケータ図形２１ａ、２２ａ、２３ａ、２４ａの外側に背景部２１ｂ、２２ｂ、２３ｂ、２４ｂが形成され、文字盤２の裏面側に各インジケータ２１、２２、２３、２４に対応して各インジケータ２１、２２、２３、２４を透過照明する発光ダイオード４１、４２、４３、４４が配置され、重要度の高いインジケータ２１、２２においては、発光ダイオード４１、４２により背景部２１ｂ、２２ｂが発光表示され、重要度の低いインジケータ２３、２４においては、発光ダイオード４３、４４によりインジケータ図形２３ａ、２４ａが発光表示される構成としている。
【００６５】
すなわち、重要度の高いインジケータ２１、２２をポジ状態で表示し、重要度が低いインジケータ２３、２４をネガ状態で表示している。言い換えると、表示意匠の明暗状態を変えることで各インジケータ２１、２２、２３、２４の重要度を指示している。
【００６６】
これにより、各インジケータ意匠部の発光色を変えて各インジケータの重要度を識別させている従来の車両用インジケータ表示装置で発生する色盲あるいは白内障等に起因して色覚機能が変化している人が各インジケータ意匠部の発光色を識別し難く、したがって重要度を判別し難いという不具合を解消して、色盲あるいは白内障等に起因して色覚機能が変化している人が容易且つ正確に重要度を識別することのできるコンビネーションメータ１を実現できる。
【００６７】
なお、以上説明した、本発明の第１実施形態によるコンビネーションメータ１においては、発光ダイオード４１〜４４として白色発光ダイオードを採用し、各インジケータ２１〜２４の発光表示色を白色としているが、色盲あるいは白内障等に起因して色覚機能が変化している人による感度の高い波長域の色であれば白色以外の色であってもよい。たとえば、所定の波長域の青色発光ダイオードを採用してもよい。
【００６８】
（第２実施形態）
図４は、本発明の第２実施形態による車両用インジケータ表示装置であるコンビネーションメータ１の部分正面図である。なお、図４は、各インジケータ２１〜２４の全てが発光表示された状態を示している。また、図４中において、ハッチング部は均一に着色されていることを示す。
【００６９】
本発明の第２実施形態によるコンビネーションメータ１は、本発明の第１実施形態によるコンビネーションメータ１に対して、各インジケータ２１〜２４に各インジケータ２１〜２４の重要度を表す重要度指示図形である重要度マーク２１ｃ〜２４ｃを追加したものである。それ以外の構成は、本発明の第１実施形態によるコンビネーションメータ１と同一である。
【００７０】
本発明の第２実施形態によるコンビネーションメータ１において、文字盤２上に形成されるインジケータの種類およびその重要度は、前述の第１実施形態の場合と同様である。すなわち、重要度が高いインジケータとしてブレーキ液インジケータ２１およびエアバッグシステムインジケータ２２が、重要度が低いインジケータとして燃料インジケータ２３、ＡＢＳシステムインジケータ２４が設けられている。
【００７１】
本発明の第２実施形態によるコンビネーションメータ１では、各インジケータ２１〜２４において、図４に示すように、インジケータ図形２１ａ〜２４ａは遮光性の黒色あるいは濃青色で形成され、その周囲の背景部２１ｂ〜２４ｂが略長方形に透明状態で形成されている。すなわち、この第２実施形態においては、各インジケータ２１〜２４の全てがポジ状態で形成されている。さらに、背景部２１ｂ〜２４ｂ内に、図４に示すように、各インジケータ２１〜２４の重要度を表す重要度指示図形である重要度マーク２１ｃ〜２４ｃが遮光性の黒色あるいは濃青色で形成されている。
【００７２】
すなわち、重要度が高いインジケータ２１、２２においては、重要度マーク２１ｃ、２２ｃは×、つまりＸ字、重要度が低いインジケータ２３、２４においては、重要度マーク２３ｃ、２４ｃは三角形となっている。
【００７３】
本発明の第２実施形態によるコンビネーションメータ１において、何らかの原因で自動車に異常が発生し、それにより各インジケータ２１〜２４のいずれかが発光表示された場合、明るい白色で発光する背景部２１ｂ〜２４ｂの中に、インジケータ図形２１ａ〜２４ａおよび重要度マーク２１ｃ〜２４ｃが黒色あるいは濃青色で影絵状に視認される。すなわち、黒白のモノトーン情報として視認される。これにより、運転者は、影絵状のインジケータ図形２１ａ〜２４ａから異常発生部位あるいは異常内容を識別するとともに、重要度マーク２１ｃ〜２４ｃから、発生した異常の重要度を認知する。
【００７４】
したがって、本発明の第１実施形態によるコンビネーションメータ１の場合と同様に、各インジケータ意匠部の発光色を変えて各インジケータの重要度を識別させている従来の車両用インジケータ表示装置で発生する色盲あるいは白内障等に起因して色覚機能が変化している人が各インジケータ意匠部の発光色を識別し難く、したがって重要度を判別し難いという不具合を解消して、色盲あるいは白内障等に起因して色覚機能が変化している人が容易且つ正確に重要度を識別することのできるコンビネーションメータ１を実現できる。
【００７５】
図５には、本発明の第２実施形態によるコンビネーションメータ１の変形例の部分正面図を示す。なお、図５は、各インジケータ２１〜２４の全てが発光表示された状態を示している。また、図５中において、ハッチング部は均一に着色されていることを示す。
【００７６】
上述の、本発明の第２実施形態によるコンビネーションメータ１においては、図４に示すように、各背景部２１ｂ〜２４ｂ内に重要度指示図形である重要度マーク２１ｃ〜２４ｃを設けているが、この変形例においては、図５に示すように、重要度指示図形である重要度マーク１４、１５を、文字盤２上において各インジケータ２１〜２４の外部に独立して形成している。重要度マーク１４は重要度が高いことを指示し、重要度マーク１５は重要度が低いことを指示している。
【００７７】
各重要度マーク１４、１５は、その形状を透明状態とし、その周囲を遮光性の黒色あるいは濃青色で着色して形成されている。また、文字盤２の裏側には、各インジケータ２１〜２４の場合と同様に、各重要度マーク１４、１５を発光表示させるための発光ダイオード（図示せず）および導光体（図示せず）が配置されている。
【００７８】
何らかの原因で自動車に異常が発生し、それにより各インジケータ２１〜２４のいずれかが発光表示されると、同時に発光表示されたインジケータの重要度を指示する重要度マーク１４、１５のいずれかが、各インジケータ２１〜２４と同様に白色で発光表示される。たとえば、重要度の高いインジケータ２１が発光表示されると、同時に重要度マーク１４が発光表示される。
【００７９】
これにより、運転者は、影絵状のインジケータ図形２１ａ〜２４ａから異常発生部位あるいは異常内容を識別するとともに、重要度マーク１４、１５から、発生した異常の重要度を認知する。
【００８０】
したがって、本発明の第１実施形態によるコンビネーションメータ１の場合と同様に、色盲あるいは白内障等に起因して色覚機能が変化している人が容易且つ正確に重要度を識別することのできるコンビネーションメータ１を実現できる。
【００８１】
図６には、本発明の第２実施形態によるコンビネーションメータ１における他の変形例の部分正面図を示す。なお、図６は、各インジケータ２１〜２４の全てが発光表示された状態を示している。
【００８２】
本発明の第２実施形態によるコンビネーションメータ１の他の変形例においては、重要度指示図形を背景部２１ｂ〜２４ｂに兼用させる構成、つまり、背景部２１ｂ〜２４ｂの輪郭形状を各インジケータ２１〜２４の重要度を表す重要度マーク２１ｃ〜２４ｃ形状としている。
【００８３】
すなわち、重要度が高いインジケータ２１、２２においては、背景部２１ｂ、２２ｂの輪郭形状は、図６に示すように、略長方形とし、一方、重要度が低いインジケータ２３、２４においては、背景部２３ｂ、２４ｂの輪郭形状は略楕円形としている。
【００８４】
この変形例においても、各インジケータ２１〜２４が発光表示されると、異常発生部位あるいは異常内容および重要度が黒白のモノトーン情報として視認される。
【００８５】
したがって、本発明の第１実施形態によるコンビネーションメータ１の場合と同様に、各インジケータ意匠部の発光色を変えて各インジケータの重要度を識別させている従来の車両用インジケータ表示装置で発生する色盲あるいは白内障等に起因して色覚機能が変化している人が各インジケータ意匠部の発光色を識別し難く、したがって重要度を判別し難いという不具合を解消して、色盲あるいは白内障等に起因して色覚機能が変化している人が容易且つ正確に重要度を識別することのできるコンビネーションメータ１を実現できる。
【００８６】
なお、以上説明した本発明の第２実施形態の他の変形例においては、各インジケータ２１〜２４の重要度を重要度指示図形である重要度マーク１４、１５により指示しているが、この重要度指示図形の替わりに重要度表示部（図示せず）を設け、それにより重要度を表示してもよい。
【００８７】
すなわち、重要度の高いインジケータ２１、２２に対応する重要度表示部として「すみやかに停車してください」という言葉を文字盤２上に形成し、重要度の低いインジケータ２３、２４に対応する重要度表示部として「はやめに確認してください」という言葉を文字盤２上に形成し、異常発生時に発光表示するインジケータに対応して方の重要度表示部を発光表示してもよい。
【００８８】
また、以上説明した本発明の第２実施形態の他の変形例における重要度指示図形である重要度マーク１４、１５、あるいは上述の重要度表示部をコンビネーションメータ１が備える液晶パネル上に表示してもよい。
【００８９】
（第３実施形態）
図７は、本発明の第３実施形態によるコンビネーションメータ１の正面図である。なお、図７中において、ハッチング部は均一に着色されていることを示す。
【００９０】
本発明の第３実施形態によるコンビネーションメータ１では、各インジケータ２１〜２４において、インジケータ図形２１ａ〜２４ａは遮光性の黒色あるいは濃青色で形成され、その周囲の背景部２１ｂ〜２４ｂが略長方形に透明状態で形成され、第２実施形態の場合と同様に、各インジケータ２１〜２４の全てがポジ状態で形成されている。
【００９１】
本発明の第３実施形態によるコンビネーションメータ１は、文字盤２上における各インジケータ２１〜２４の配置方法に特徴がある。
【００９２】
すなわち、本発明の第３実施形態によるコンビネーションメータ１では、重要度の高いインジケータ２１、２２を、図７に示すように、互いに近接して配置して第１インジケータ群Ａを形成し、一方、重要度の低いインジケータ２３、２４を、図７に示すように、互いに近接して配置して第２インジケータ群Ｂを形成している。そして、第１インジケータ群Ａを計器部である速度計Ｃの左側に、第２インジケータ群Ｂを速度計Ｃの右側に配置している。つまり、第１インジケータ群Ａおよび第２インジケータ群Ｂは速度計Ｃを挟むように配置されている。
【００９３】
これにより、第１インジケータ群Ａおよび第２インジケータ群Ｂは、文字盤２上において、明瞭に区別して視認される。
【００９４】
したがって、本発明の第３実施形態によるコンビネーションメータ１において、各インジケータ２１〜２４が発光表示されると、異常発生部位あるいは異常内容が黒白のモノトーン情報として表示され、且つ異常の重要度は、当該インジケータの属するインジケータ群により、言い換えると発光表示される位置（速度計Ｃの右側あるいは左側）により判別される。
【００９５】
これにより、色盲あるいは白内障等に起因して色覚機能が変化している人が容易且つ正確に重要度を識別することのできるコンビネーションメータ１を実現することができる。
【００９６】
なお、以上説明した、本発明の第３実施形態によるコンビネーションメータ１においては、計器部を速度計Ｃ１個としているが、他の計器部、たとえばエンジン回転計、時計、水温計、燃料計等に置き換える、または追加する等してもよい。また計器部を複数個配置した場合、第１インジケータ群Ａおよび第２インジケータ群Ｂを複数の計器部を挟むように配置してもよい。
【００９７】
また、以上説明した、本発明の第３実施形態によるコンビネーションメータ１においては、第１インジケータ群Ａを構成するインジケータ２１、２２の輪郭形状、つまり背景部２１ｂ、２２ｂの輪郭形状、および第２インジケータ群Ｂを構成するインジケータ２３、２４の輪郭形状、つまり背景部２３ｂ、２４ｂの輪郭形状、を同一形状としているが、第１インジケータ群Ａを構成するインジケータ２１、２２の輪郭形状と第２インジケータ群Ｂを構成するインジケータ２３、２４の輪郭形状とを異なるものとしてもよい。この場合、各インジケータ群Ａ、Ｂをより容易且つ正確に判別することが可能となる。
【００９８】
なお、以上説明した、本発明の第１実施形態、第２実施形態および第３実施形態によるコンビネーションメータ１においては、インジケータ意匠部の個数を４個としているが、４個に限る必要は無く、必要に応じて増減させてもよい。また、インジケータ意匠部の種類をブレーキ液インジケータ２１、エアバッグシステムインジケータ２２、燃料インジケータ２３、ＡＢＳシステムインジケータ２４としているが、これら４種類の少なくとも１つを他の種類のインジケータに置き換える、あるいは他の種類のインジケータを追加してもよい。
【００９９】
また、以上説明した、本発明の第１実施形態、第２実施形態および第３実施形態によるコンビネーションメータ１においては、各インジケータ２１〜２４を透過照明するための光源として、発光ダイオード４１〜４４を用いているが、これらのうちの少なくとも１つを他の光源、たとえば電球あるいは放電灯等に置き換えてもよい。
【０１００】
また、以上説明した、本発明の第１実施形態、第２実施形態および第３実施形態では、車両用インジケータ表示装置としてコンビネーションメータ１を例にとっているが、コンビネーションメータ１の替わりに、たとえばナビゲーションシステム用画面としてもよい。この場合も、各インジケータを、本発明の第１実施形態、第２実施形態および第３実施形態に示すような構成とすることで、色盲あるいは白内障等に起因して色覚機能が変化している人に容易且つ正確に各インジケータの重要度を識別させることができる。
【図面の簡単な説明】
【図１】本発明の第１実施形態によるコンビネーションメータ１の部分正面図である。
【図２】本発明の第１実施形態によるコンビネーションメータ１の断面図であり、図１中のＩＩ−ＩＩ線断面図である。
【図３】本発明の第１実施形態によるコンビネーションメータ１の電気回路構成を説明する模式図である。
【図４】本発明の第２実施形態によるコンビネーションメータ１の部分正面図である。
【図５】本発明の第２実施形態によるコンビネーションメータ１の変形例の部分正面図である。
【図６】本発明の第２実施形態によるコンビネーションメータ１における他の変形例の部分正面図である。
【図７】本発明の第３実施形態によるコンビネーションメータ１の正面図である。
【符号の説明】
１    コンビネーションメータ（車両用インジケータ表示装置）
２    文字盤
２１    ブレーキ液インジケータ（インジケータ意匠部）
２１ａ    インジケータ図形
２１ｂ    背景部
２１ｃ    重要度マーク（重要度指示図形）
２２    エアバッグシステムインジケータ（インジケータ意匠部）
２２ａ    インジケータ図形
２２ｂ    背景部
２２ｃ    重要度マーク（重要度指示図形）
２３    燃料インジケータ（インジケータ意匠部）
２３ａ    インジケータ図形
２３ｂ    背景部
２３ｃ    重要度マーク（重要度指示図形）
２４    ＡＢＳシステムインジケータ（インジケータ意匠部）
２４ａ    インジケータ図形
２４ｂ    背景部
２４ｃ    重要度マーク（重要度指示図形）
３１、３２、３３、３４    導光体
４１、４２、４３、４４    発光ダイオード（光源）
５    プリント基板
６    コントローラ
７    ケース
８    バッテリ８
９    イグニッションスイッチ
１０    ブレーキ液面センサ
１１    燃料レベルセンサ
１２    エアバッグ制御装置
１３    ＡＢＳ制御装置
１４    重要度マーク（重要度指示図形）
１５    重要度マーク（重要度指示図形）
Ａ    第１インジケータ群
Ｂ    第２インジケータ群
Ｃ    速度計（計器部）
【図１】
2004325652.tif 000003
【図２】
2004325652.tif 000004
【図３】
2004325652.tif 000005
【図４】
2004325652.tif 000006
【図５】
2004325652.tif 000007
【図６】
2004325652.tif 000008
【図７】
2004325652.tif 000009